(57)【要約】【課題】携帯電話機のメモリカードへのＴＶ番組録画を使用可能なメモリ容量を意識することなく行う。【解決手段】  無線送受信部１０１は無線基地局との間に無線回線を構成し、無線基地局からの着信を検出する。ＴＶ受信部１０２はテレビ信号を受信する。使用者は受話部１０６及び送話部１０７を用いて通話を行う。操作部１０５は携帯電話機１０における種々の機能設定や電話番号の入力をするために用いる。表示部１０４は操作部１０５により設定された内容を表示する。操作部１０５は録画開始時間登録、録画終了時間登録、録画チャンネル登録、録画許可メモリ容量登録の設定を行い、制御部１０３によりメモリ部１０８に格納する。【選択図】    図１
2005184372.tif 000002
【特許請求の範囲】
【請求項１】
テレビ番組の録画データを格納するメモリカードと、録画許可メモリ容量、録画チャンネル、タイマー、メール送信ＯＮ／ＯＦＦの設定データを格納するメモリ部とを備え、
前記テレビ番組の録画を前記メモリカードの限定したメモリ容量内で行い、録画済みデータをメール送信することで前記メモリカードがメモリオーバーすることなく録画を行うことを特徴とするテレビ携帯電話機。
【請求項２】
無線基地局からの着信を検出する無線送受信部と、テレビ信号を受信するＴＶ受信部と、通話を行う受話部及び送話部と、タイムカウントを行うタイマー部と、携帯電話機の機能設定や電話番号を入力する操作部と、前記操作部により入力された録画開始時間、録画終了時間、録画チャンネル、録画許可メモリ容量の内容を表示する表示部と、前記ＴＶ受信部が受信した前記テレビ信号を録画データとして格納するメモリカード部と、このメモリカード部に対する前記録画許可メモリ容量、前記録画チャンネル、前記録画開始時間及び前記録画終了時間のタイマー設定のデータを格納するメモリ部とを備えたことを特徴とするテレビ携帯電話機。
【請求項３】
前記メモリ部が、前記録画開始時間を登録する録画開始時間登録部と、前記録画終了時間を登録する録画終了時間登録部と、前記録画チャンネルを登録する録画チャンネル登録部と、前記録画許可メモリ容量を登録する録画許可メモリ容量登録部とを備えたことを特徴とする請求項２記載のテレビ携帯電話機。
【請求項４】
無線基地局からの着信を検出する無線送受信部と、テレビ信号を受信するＴＶ受信部と、通話を行う受話部及び送話部と、タイムカウントを行うタイマー部と、携帯電話機の機能設定や電話番号を入力する操作部と、前記操作部により入力された録画開始時間、録画終了時間、録画チャンネル、録画許可メモリ容量、メール送信ＯＮ／ＯＦＦ、送信先アドレスの内容を表示する表示部と、前記ＴＶ受信部が受信した前記テレビ信号を録画データとして格納するメモリカード部と、このメモリカード部に対する前記録画許可メモリ容量、前記録画チャンネル、前記録画開始時間及び前記録画終了時間のタイマー設定、メール送信ＯＮ／ＯＦＦ、送信先アドレスの設定のデータを格納するメモリ部とを備えたことを特徴とするテレビ携帯電話機。
【請求項５】
前記メモリ部が、前記録画開始時間を登録する録画開始時間登録部と、前記録画終了時間を登録する録画終了時間登録部と、前記録画チャンネルを登録する録画チャンネル登録部と、前記録画許可メモリ容量を登録する録画許可メモリ容量登録部と、録画済みデータのメール送信可否を登録するメール送信対応登録部と、送信先アドレスを登録する送信先アドレス登録部とを備えたことを特徴とする請求項４記載のテレビ携帯電話機。
【請求項６】
前記タイマー部は、このタイマー部から取得した現在時間と前記メモリ部から取得した前記録画開始時間及び前記録画終了時間のデータとを比較することを特徴とする請求項２又は請求項４記載のテレビ携帯電話機。
【請求項７】
テレビ番組の録画を行う録画開始時間、録画終了時間、録画チャンネル、録画許可メモリ容量の録画設定用データをメモリに格納する録画設定ステップと；
タイマーチェックを行い、現在時刻と前記メモリに格納された録画開始時間とを比較する録画開始時間比較ステップと；
録画中かどうかの判断を行う録画中判断ステップと；
この録画中判断ステップで録画中でない場合、録画予約開始時間かどうかの判断を行う録画予約開始時間判断ステップと；
この録画予約開始時間判断ステップで、現在時刻が録画開始時間に一致したとき、前記テレビ番組の録画の開始を行い、前記録画開始時間比較ステップに戻る録画開始ステップと；
前記録画中判断ステップで録画中の場合、タイマーチェックを行い、現在時刻と前記メモリに格納された録画終了時間とを比較する録画終了時間判断ステップと；
この録画終了時間判断ステップで、現在時刻が録画終了時間に一致したとき、前記テレビ番組の録画を終了する録画終了ステップと；
前記録画終了時間判断ステップで現在時刻と録画終了時間のデータが一致しないとき、使用メモリの限界かどうかを判断し、使用メモリが限界でなければ前記録画開始時間比較ステップに戻り、前記使用メモリが限界であれば前記録画終了ステップに進む使用メモリ判断ステップと；
を備えたことを特徴とするテレビ携帯電話機の録画方法。
【請求項８】
テレビ番組の録画を行う録画開始時間、録画終了時間、録画チャンネル、録画許可メモリ容量の録画設定用データをメモリに格納する録画設定ステップと；
タイマーチェックを行い、現在時刻と前記メモリに格納された録画開始時間とを比較する録画開始時間比較ステップと；
録画中かどうかの判断を行う録画中判断ステップと；
この録画中判断ステップで録画中でない場合、録画予約開始時間かどうかの判断を行う録画予約開始時間判断ステップと；
この録画予約開始時間判断ステップで、現在時刻が録画開始時間に一致したとき、前記テレビ番組の録画の開始を行い、前記録画開始時間比較ステップに戻る録画開始ステップと；
前記録画中判断ステップで録画中の場合、タイマーチェックを行い、現在時刻と前記メモリに格納された録画終了時間とを比較する録画終了時間判断ステップと；
この録画終了時間判断ステップで、現在時刻が録画終了時間に一致したとき、前記テレビ番組の録画を終了する録画終了ステップと；
前記録画終了時間判断ステップで現在時刻と録画終了時間のデータが一致しないとき、使用メモリの限界かどうかを判断し、使用メモリが限界でなければ前記録画開始時間比較ステップに戻り、前記使用メモリが限界であれば前記録画終了ステップに進む使用メモリ判断ステップと；
前記録画終了ステップで、前記録画データをメール送信するかどうかの判断を行うメール送信判断ステップと；
このメール送信判断ステップで、メール送信する場合、前記録画データをメールで送信先アドレスに送信し、メール送信が完了すると、前記録画データを削除し処理を終了するメール送信・録画削除ステップと；
を備えたことを特徴とするテレビ携帯電話機の録画方法。
【請求項９】
前記メール送信判断ステップが、前記録画データをメール送信する代わりに、インターネットに接続し、前記録画データをアップロードするステップであることを特徴とする請求項８記載のテレビ携帯電話機の録画方法。
【請求項１０】
請求項４〜６のいずれか１項に記載のテレビ携帯電話機であって、
前記録画データをメール送信する代わりに、前記携帯電話機が前記無線基地局を経由しアクセスサーバによりインターネットに接続し、前記録画データを前記インターネットに接続した録画サーバにアップロードすることを特徴とするテレビ携帯電話機。
【発明の詳細な説明】
【技術分野】
【０００１】
本発明はテレビ携帯電話機及び録画方法に関し、特にメモリカードとＴＶ受信機を内蔵し、ＴＶ番組をメモリカードに録画制御し転送するテレビ携帯電話機及び録画方法に関する。
【背景技術】
【０００２】
最近、内蔵の小型チューナにより地上波アナログ放送を受信し、液晶パネルに受信映像を表示するテレビ受信機能を有する携帯電話機が提供されてきている。また、ＭＰＥＧ４（Ｍｏｖｉｎｇ  Ｐｉｃｔｕｒｅ  Ｅｘｐｅｒｔｓ  Ｇｒｏｕｐ４）による符号化映像データをメモリカードに記録し、このメモリカードを携帯型視聴装置に装填することで、録画映像を再生できるようになっている。
【０００３】
図８は従来のテレビ携帯電話機の録画動作を示すフローチャートである。
【０００４】
図８を参照して動作を説明する。使用者は、まずメモリカードに対するＴＶ番組録画設定を行う（ステップＳＴ１）。録画開始時間、録画終了時間、録画チャンネルを設定し、タイマーチェックを行い、現在時刻と録画開始時間とを比較する（ステップＳＴ２）。
【０００５】
次のステップで録画中かどうかの判断を行う（ステップＳＴ３）。ステップＳＴ３で録画中でない場合、次のステップで録画予約設定開始の時間かどうかの判断を行う（ステップＳＴ４）。
【０００６】
ステップＳＴ４で録画予約設定開始の時間であればＴＶ番組録画の開始を行う（ステップＳＴ５）。
【０００７】
ステップＳＴ３で録画中の場合、録画終了の時間かどうかを判断する（ステップＳＴ６）。現在時刻と録画終了時間データが一致した時、ＴＶ番組の録画を終了する（ステップＳＴ７）。
【０００８】
また、他の従来のテレビ携帯電話機及び録画方法は、地上波ディジタル放送を受信して符号化映像と音声データをメモリカードや内蔵メモリに格納し、これらのメモリから読み出した符号化映像と音声データをディスプレイ上に表示する。電話による通話中に視聴中の番組が中断した場合、視聴できなかった箇所を後で再生し視聴している（例えば、特許文献１参照。）。
【０００９】
さらにまた、テレビ放送信号を受信する携帯電話機であって、携帯電話機のショートメッセージを大画面のディスプレイに転送して見やすくしているものもある（例えば、特許文献２参照。）。
【００１０】
【特許文献１】特開２００３−１１１００４号公報（第２−４頁、図３）
【特許文献２】特開２００２−１１２１３９号公報（第２−３頁、図１）
【発明の開示】
【発明が解決しようとする課題】
【００１１】
上述した従来のテレビ携帯電話機及び録画方法は、メモリカードにＴＶ番組録画を行う場合、メモリ使用量を予測し難いため、使用可能なメモリ容量を意識して録画設定を行う必要があるという欠点を有している。
【００１２】
また、メモリカードにＴＶ番組録画を行う場合、録画のために確保しなければならないメモリ容量が多くなることから、他のデータの保存に必要な領域をＴＶ番組の録画に使用してしまうこと、必要領域に録画を行うことにより再びメモリの領域確保の操作が必要になるという欠点を有している。
【００１３】
さらにまた、未確認の録画データが保存されている状態で次の番組録画を即時行いたい場合、空き容量の確保が困難になるという欠点を有している。
【００１４】
本発明の目的は、使用可能なメモリ容量を意識することなく、他のメモリ領域を使用することなく、即時未確認の番組録画を行う場合でもメモリ容量の制限を受けることなく、携帯電話機のメモリカードにＴＶ番組の録画を行うことにある。
【課題を解決するための手段】
【００１５】
本発明の第１のテレビ携帯電話機は、テレビ番組の録画データを格納するメモリカードと、録画許可メモリ容量、録画チャンネル、タイマー、メール送信ＯＮ／ＯＦＦの設定データを格納するメモリ部とを備え、
前記テレビ番組の録画を前記メモリカードの限定したメモリ容量内で行い、録画済みデータをメール送信することで前記メモリカードがメモリオーバーすることなく録画を行うことを特徴としている。
【００１６】
本発明の第２のテレビ携帯電話機は、
無線基地局からの着信を検出する無線送受信部と、テレビ信号を受信するＴＶ受信部と、通話を行う受話部及び送話部と、タイムカウントを行うタイマー部と、携帯電話機の機能設定や電話番号を入力する操作部と、前記操作部により入力された録画開始時間、録画終了時間、録画チャンネル、録画許可メモリ容量の内容を表示する表示部と、前記ＴＶ受信部が受信した前記テレビ信号を録画データとして格納するメモリカード部と、このメモリカード部に対する前記録画許可メモリ容量、前記録画チャンネル、前記録画開始時間及び前記録画終了時間のタイマー設定のデータを格納するメモリ部とを備えたことを特徴としている。
【００１７】
本発明の第３のテレビ携帯電話機は、前記第２のテレビ携帯電話機において、
前記メモリ部が、前記録画開始時間を登録する録画開始時間登録部と、前記録画終了時間を登録する録画終了時間登録部と、前記録画チャンネルを登録する録画チャンネル登録部と、前記録画許可メモリ容量を登録する録画許可メモリ容量登録部とを備えたことを特徴としている。
【００１８】
本発明の第４のテレビ携帯電話機は、
無線基地局からの着信を検出する無線送受信部と、テレビ信号を受信するＴＶ受信部と、通話を行う受話部及び送話部と、タイムカウントを行うタイマー部と、携帯電話機の機能設定や電話番号を入力する操作部と、前記操作部により入力された録画開始時間、録画終了時間、録画チャンネル、録画許可メモリ容量、メール送信ＯＮ／ＯＦＦ、送信先アドレスの内容を表示する表示部と、前記ＴＶ受信部が受信した前記テレビ信号を録画データとして格納するメモリカード部と、このメモリカード部に対する前記録画許可メモリ容量、前記録画チャンネル、前記録画開始時間及び前記録画終了時間のタイマー設定、メール送信ＯＮ／ＯＦＦ、送信先アドレスの設定のデータを格納するメモリ部とを備えたことを特徴としている。
【００１９】
本発明の第５のテレビ携帯電話機及び録画方法は、前記第４のテレビ携帯電話機において、
前記メモリ部が、前記録画開始時間を登録する録画開始時間登録部と、前記録画終了時間を登録する録画終了時間登録部と、前記録画チャンネルを登録する録画チャンネル登録部と、前記録画許可メモリ容量を登録する録画許可メモリ容量登録部と、録画済みデータのメール送信可否を登録するメール送信対応登録部と、送信先アドレスを登録する送信先アドレス登録部とを備えたことを特徴としている。
【００２０】
本発明の第６のテレビ携帯電話機は、前記第２または第４のテレビ携帯電話機において、
前記タイマー部は、このタイマー部から取得した現在時間と前記メモリ部から取得した前記録画開始時間及び前記録画終了時間のデータとを比較することを特徴としている。
【００２１】
本発明の第７のテレビ携帯電話機の録画方法は、
テレビ番組の録画を行う録画開始時間、録画終了時間、録画チャンネル、録画許可メモリ容量の録画設定用データをメモリに格納する録画設定ステップと；
タイマーチェックを行い、現在時刻と前記メモリに格納された録画開始時間とを比較する録画開始時間比較ステップと；
録画中かどうかの判断を行う録画中判断ステップと；
この録画中判断ステップで録画中でない場合、録画予約開始時間かどうかの判断を行う録画予約開始時間判断ステップと；
この録画予約開始時間判断ステップで、現在時刻が録画開始時間に一致したとき、前記テレビ番組の録画の開始を行い、前記録画開始時間比較ステップに戻る録画開始ステップと；
前記録画中判断ステップで録画中の場合、タイマーチェックを行い、現在時刻と前記メモリに格納された録画終了時間とを比較する録画終了時間判断ステップと；
この録画終了時間判断ステップで、現在時刻が録画終了時間に一致したとき、前記テレビ番組の録画を終了する録画終了ステップと；
前記録画終了時間判断ステップで現在時刻と録画終了時間のデータが一致しないとき、使用メモリの限界かどうかを判断し、使用メモリが限界でなければ前記録画開始時間比較ステップに戻り、前記使用メモリが限界であれば前記録画終了ステップに進む使用メモリ判断ステップと；
を備えたことを特徴としている。
【００２２】
本発明の第８のテレビ携帯電話機の録画方法は、
テレビ番組の録画を行う録画開始時間、録画終了時間、録画チャンネル、録画許可メモリ容量の録画設定用データをメモリに格納する録画設定ステップと；
タイマーチェックを行い、現在時刻と前記メモリに格納された録画開始時間とを比較する録画開始時間比較ステップと；
録画中かどうかの判断を行う録画中判断ステップと；
この録画中判断ステップで録画中でない場合、録画予約開始時間かどうかの判断を行う録画予約開始時間判断ステップと；
この録画予約開始時間判断ステップで、現在時刻が録画開始時間に一致したとき、前記テレビ番組の録画の開始を行い、前記録画開始時間比較ステップに戻る録画開始ステップと；
前記録画中判断ステップで録画中の場合、タイマーチェックを行い、現在時刻と前記メモリに格納された録画終了時間とを比較する録画終了時間判断ステップと；
この録画終了時間判断ステップで、現在時刻が録画終了時間に一致したとき、前記テレビ番組の録画を終了する録画終了ステップと；
前記録画終了時間判断ステップで現在時刻と録画終了時間のデータが一致しないとき、使用メモリの限界かどうかを判断し、使用メモリが限界でなければ前記録画開始時間比較ステップに戻り、前記使用メモリが限界であれば前記録画終了ステップに進む使用メモリ判断ステップと；
前記録画終了ステップで、前記録画データをメール送信するかどうかの判断を行うメール送信判断ステップと；
このメール送信判断ステップで、メール送信する場合、前記録画データをメールで送信先アドレスに送信し、メール送信が完了すると、前記録画データを削除し処理を終了するメール送信・録画削除ステップと；
を備えたことを特徴としている。
【００２３】
本発明の第９のテレビ携帯電話機の録画方法は、前記第８のテレビ携帯電話機の録画方法において、
前記メール送信判断ステップが、前記録画データをメール送信する代わりに、インターネットに接続し、前記録画データをアップロードするステップであることを特徴としている。
【００２４】
本発明の第１０のテレビ携帯電話機は、前記第４〜６のいずれかのテレビ携帯電話機において、
前記録画データをメール送信する代わりに、前記携帯電話機が前記無線基地局を経由しアクセスサーバによりインターネットに接続し、前記録画データを前記インターネットに接続した録画サーバにアップロードすることを特徴としている。
【発明の効果】
【００２５】
本発明のテレビ携帯電話機及び録画方法は、テレビ番組の録画許可メモリ容量の設定及び録画したデータのメール転送が携帯電話機でできるので、メモリの空き容量の制限を考慮することなくＴＶ番組の録画が行えるという効果を有している。
【発明を実施するための最良の形態】
【００２６】
次に、本発明の実施の形態について図面を参照して説明する。
【００２７】
図１は本発明のテレビ携帯電話機及び録画方法の一つの実施の形態を示すブロック図である。
【００２８】
図１に示す本実施の形態は、無線送受信部１０１と、ＴＶ受信部１０２と、制御部１０３と、表示部１０４と、操作部１０５と、受話部１０６及び送話部１０７と、メモリ部１０８と、メモリカード部１０９と、タイマー部１１０とから構成されている。
【００２９】
無線送受信部１０１は無線基地局との間に無線回線を構成し、無線基地局からの着信を検出する。ＴＶ受信部１０２はテレビ信号を受信する。使用者は受話部１０６及び送話部１０７を用いて通話を行う。操作部１０５は携帯電話機１０における種々の機能設定や電話番号を入力するために用いる。表示部１０４は操作部１０５により設定された内容の表示に用いる。操作部１０５は録画開始時間登録、録画終了時間登録、録画チャンネル登録、録画許可メモリ容量登録の設定を行い、制御部１０３によりメモリ部１０８に格納する。メモリ部１０８はメモリカード部１０９の録画許可メモリ容量、録画チャンネル、タイマーおよびメール送信のＯＮ／ＯＦＦの設定データを格納する。メモリカード部１０９はＴＶ番組の録画データを格納する。タイマー部１１０はメモリ部１０８から録画開始時間登録データと録画終了時間登録データを取得し、制御部１０３によりデータの比較を行う。
【００３０】
図２は図１のメモリ部の構成を示すブロック図である。
【００３１】
図２を参照すると、録画開始時間、録画終了時間、録画チャンネル、録画許可メモリ容量の設定データは、メモリ部１０８の録画開始時間登録部１１１、録画終了時間登録部１１２、録画チャンネル登録部１１３、録画許可メモリ容量登録部１１４にそれぞれ設定される。図１の表示部１０４にはこれらの設定内容が表示される。
【００３２】
図３は録画予約設定状態を説明する図である。
【００３３】
図３を参照すると、それぞれ図１の操作部１０５のキー操作により設定した情報、すなわちＴＶ番組録画を行う録画開始時間情報、録画終了時間情報、録画チャンネル情報、録画使用メモリ情報が、表示部１０４に表示された状態を示している。図３においては、録画の開始時間情報：２０：００、録画の終了時間情報：２１：００、録画のチャンネル情報：１ｃｈ、録画の使用メモリ情報：１０ＭＢと設定されている。
【００３４】
図４は本発明のテレビ携帯電話機の録画動作を示すフローチャートである。
【００３５】
次に、図１、図２、図３及び図４を参照して本実施の形態の動作を詳細に説明する。
【００３６】
使用者は、まず図１の操作部１０５のキー操作にてＴＶ番組録画を行う録画開始時間、録画終了時間、録画チャンネル、録画許可メモリ容量の情報を、図３に示すようにそれぞれメモリカード部１０９に対して設定する（ステップＳ１）。
【００３７】
録画開始時間情報（２０：００）、録画終了時間情報（２１：００）、録画チャンネル情報（１ｃｈ）、録画使用メモリ情報（１０ＭＢ）のそれぞれの情報は、制御部１０３によってメモリ部１０８の録画開始時間登録部１１１、録画終了時間登録部１１２、録画チャンネル登録部１１３、録画許可メモリ容量登録部１１４にそれぞれ格納される。制御部１０３はタイマーチェックを行い、タイマー部１１０より取得した現在時刻とメモリ部１０８の録画開始時間登録部１１１に格納された録画開始時間データとを比較する（ステップＳ２）。
【００３８】
次のステップで録画中かどうかの判断を行う（ステップＳ３）。ステップＳ３で録画中でない場合、次のステップで録画予約設定開始の時間情報かどうかの判断を行う（ステップＳ４）。
【００３９】
ステップＳ４でデータが一致した時に（Ｓ４のＹｅｓ＝現在時刻が録画開始時間に設定されている２０：００になったとき）、ＴＶ番組録画の開始を行いステップＳ２に戻る（ステップＳ５）。
【００４０】
ステップＳ３で録画中の場合、タイマー部１１０より取得した現在時刻と録画終了時間登録部１１２に格納された録画終了時間データの比較を行う（ステップＳ６）。データが一致した時（Ｓ６のＹｅｓ＝現在時刻が録画終了時間に設定されている２１：００になったとき）、ＴＶ番組の録画は終了する（ステップＳ８）。
【００４１】
ステップＳ６で現在時刻と録画終了時間のデータが一致しない時、ステップＳ７に進み使用メモリの限界かどうかを判断し、使用メモリが限界でなければステップＳ２に戻る（ステップＳ７）。ステップＳ７で使用メモリが限界であればつまり録画許可メモリ容量登録部１１４における指定メモリ容量に達したとき（Ｓ７のＹｅｓ＝録画において使用されたメモリ容量が１０ＭＢに達したとき）、ＴＶ番組の録画は終了する（ステップＳ８）。
【００４２】
録画許可メモリ容量は、使用可能なメモリ容量を予め設定することで、残メモリ容量のすべてを録画に割り当てられることを防ぐだけでなく、他のデータ保存に今後使用したいメモリ容量の確保を事前に行うことが可能になる。また、新しいデータの保存のために新たにメモリ領域を確保しなければならない状況もなくなる。
【００４３】
携帯電話機１０に内蔵されたタイマーとメモリカードを用いて録画を行うことによって、いかなる場所においても設定時間及び設定メモリ容量に従った録画が可能となる。
【００４４】
次に本発明の第２の実施の形態として、図５、図６及び図７を参照して説明する。
【００４５】
なお、携帯電話機１０の構成は、図１に示した構成と同様である。
【００４６】
図５は図１のメモリ部の他の構成を示すブロック図である。
【００４７】
ただし、図５のメモリ部１１８については、図２のメモリ部１０８に新たにメール送信対応登録部２０１、送信先アドレス登録部２０２を構成に加えている点が異なる。本構成により、メール送信対応登録部２０１及び送信先アドレス登録部２０２に格納された内容に従い、録画済みのデータを送信先にメール送信することにより、録画終了後のメモリカード部１０９の空き容量の確保を行うことができる。
【００４８】
メール送信対応のデータの設定は図１の操作部１０５から行い、制御部１０３を介して図５のメモリ部１１８のメール送信対応登録部２０１に格納される。また、送信先のデータも同様に操作部１０５から行い、メモリ部１１８の送信先アドレス登録部２０２に格納される。
【００４９】
図６は図５の録画予約設定状態を説明する図である。
【００５０】
図６を参照すると、メール送信対応を追加したＴＶ番組録画予約設定の画面を示している。メール送信ＯＮ／ＯＦＦ制御と送信先アドレスの設定は、図３の録画開始時間情報、録画終了時間情報、録画チャンネル情報、録画使用メモリ情報の設定と同様に、図１の操作部１０５のキー操作により設定を行うことができる。なお、図６においては、メール送信対応：ＯＮ、送信先アドレス：ａｂｃ＠ａｂｃ．ｃｏ．ｊｐが追加設定されている。
【００５１】
図７は本発明のテレビ携帯電話機及び録画方法の第２の実施の形態の動作を示すフローチャートである。
【００５２】
図７のステップＳ１〜Ｓ８は、図４に示すステップＳ１〜Ｓ８の動作と同一のため、ここでは説明を省略する。図４に示す動作では録画終了後に次の番組録画を即時行いたい場合、空き領域の確保を自動で行うことはできない。本発明の第２の実施の形態ではこのような場合、録画データをメールによりメール送信先に自動転送する。このメール送信により空き領域の確保を自動で行うことができる。
【００５３】
図７のステップＳ８の録画終了後、メール送信するかどうかの判断を行う（ステップＳ９）。メール送信対応登録部２０１でメール送信がＯＮに登録されている場合（Ｓ９のＹｅｓ＝メール送信対応の設定をＯＮとしているとき）、録画データをメールで送信先アドレス登録部２０２に設定されたアドレスに送信する（ａｂｃ＠ａｂｃ．ｃｏ．ｊｐ宛に録画済みデータを送信）。ステップＳ９でメール送信がＯＮに登録されていない場合処理を終了する。
【００５４】
メール送信が完了すると、メモリカード部１０９の録画データを削除し、空き容量を確保し処理を終了する（ステップＳ１０）。
【００５５】
上述の通り、図１のメモリカード部１０９とＴＶ受信部１０２を搭載した携帯電話機１０が、メモリカード部１０９の録画許可メモリ容量、録画チャンネル、タイマーおよびメール送信のＯＮ／ＯＦＦをメモリ部１０８，１１８に設定することで、使用者が限定したメモリ容量でのＴＶ番組の録画を行うことができる。
【００５６】
さらに、録画済みデータのメール送信に対応することでメモリカード部１０９のメモリオーバーを意識することなく録画を行うことができる。メモリカード部１０９はＴＶ番組の録画データを格納するものであり、メモリ部１０８，１１８はメモリカード部１０９への録画許可メモリ容量、録画チャンネル、タイマーおよびメール送信のＯＮ／ＯＦＦのデータを格納するものである。
【００５７】
特に、メモリ部１１８にタイマーを設定することで、設定した時間にＴＶ番組をメールで自動送信することができる。従って、例えば外出などの移動中において録画を行いたいＴＶ番組が存在した場合、いかなる場所においても録画保存が可能となる。
【００５８】
また、録画したいＴＶ番組が複数の場合、最初に録画した番組を録画終了後に自動的に設定された送信先にメール転送し、メモリカードの空き容量を確保してから次のＴＶ番組を録画することが可能である。
【００５９】
さらにまた、ＴＶ番組の録画に使用するメモリカード部１０９のメモリ容量を指定できるので、他のデータ保存に使用したいメモリ容量の確保を事前に行った上での録画が可能となる。従って、録画終了後に、録画済みデータを予め設定した送信先にメールで自動転送することができるため、常にメモリカード部１０９の空き容量を確保したＴＶ番組の録画が可能となる。
【００６０】
なお、上述の録画データをメール送信する代わりに、携帯電話機が基地局を経由しアクセスサーバによりインターネットに接続し、録画データをインターネットに接続した録画サーバにアップロードすることも可能である。
【００６１】
以上説明したように、本発明においては、携帯電話機において録画開始時間、録画終了時間、録画許可メモリ容量の設定をしているので、必要とする場面においていかなる場所においてもＴＶ番組の録画が可能であり、さらに携帯電話機の必要メモリの残容量維持が可能になる。
【００６２】
また、携帯電話機の必要メモリ残容量を維持できることにより、他のデータ領域を確保したメモリカードによるＴＶ番組録画を制御することが可能となる。
【図面の簡単な説明】
【００６３】
【図１】本発明のテレビ携帯電話機及び録画方法の一つの実施の形態を示すブロック図である。
【図２】図１のメモリ部の構成を示すブロック図である。
【図３】録画予約設定状態を説明する図である。
【図４】本発明のテレビ携帯電話機の録画動作を示すフローチャートである。
【図５】図１のメモリ部の他の構成を示すブロック図である。
【図６】図５の録画予約設定状態を説明する図である。
【図７】本発明のテレビ携帯電話機及び録画方法の第２の実施の形態の動作を示すフローチャートである。
【図８】従来のテレビ携帯電話機の録画動作を示すフローチャートである。
【符号の説明】
【００６４】
１０    携帯電話機
１０１    無線送受信部
１０２    ＴＶ受信部
１０３    制御部
１０４    表示部
１０５    操作部
１０６    受話部
１０７    送話部
１０８    メモリ部
１０９    メモリカード部
１１０    タイマー部
１１１    録画開始時間登録部
１１２    録画終了時間登録部
１１３    録画チャンネル登録部
１１４    録画許可メモリ容量登録部
１１８    メモリ部
２０１    メール送信対応登録部
２０２    送信先アドレス登録部
【図１】
2005184372.tif 000003
【図２】
2005184372.tif 000004
【図３】
2005184372.tif 000005
【図４】
2005184372.tif 000006
【図５】
2005184372.tif 000007
【図６】
2005184372.tif 000008
【図７】
2005184372.tif 000009
【図８】
2005184372.tif 000010